(57)【要約】【課題】コンパクトでありながら、自毛に自然になじむウィッグ及び、ウィッグベースを提供すること。【解決手段】本発明は、ウィッグベースと、当該ウィッグベースに植設される擬毛とを含むウィッグに適用される。そして、前記ウィッグベースは、前記擬毛を植設する領域（植毛領域）の外周輪郭が、角部を持たずに全体的に丸みを帯びるとともに、内側に入り込んだ谷部を有することを特徴とする。植毛領域としては、例えば、ハート型とすることができる。【選択図】図２
2018066095.tif 000002
【特許請求の範囲】
【請求項１】
ウィッグベースと、当該ウィッグベースに植設される擬毛とを含むウィッグにおいて、
前記ウィッグベースは、前記擬毛を植設する領域（以下、「植毛領域」という。）の外周輪郭が、角部を持たずに全体的に丸みを帯びるとともに、内側に入り込んだ谷部を有することを特徴とする、ウィッグ。
【請求項２】
前記植毛領域の外周輪郭は、前記ウィッグベース自体の外周輪郭と概ね一致することを特徴とする請求項１に記載のウィッグ。
【請求項３】
前記ウィッグベースは、前記植毛領域の外側に、前記擬毛を植毛しない余剰領域を有することを特徴とする請求項１に記載のウィッグ。
【請求項４】
前記谷部は、内側に向かって両側から巻き込むように窪んだ領域であり、谷底に相当する先端は鋭利となることを特徴とする請求項１乃至３の何れか１項に記載のウィッグ。
【請求項５】
前記植毛領域は、前記谷部の反対側の縁部に外側に向かって突出した鋭利な先端部を有することを特徴とする請求項４に記載のウィッグ。
【請求項６】
前記植毛領域は、ハート型であることを特徴とする請求項５に記載のウィッグ。
【請求項７】
前記植毛領域は、対向する２カ所に前記谷部を有することを特徴とする請求項１乃至４の何れか１項に記載のウィッグ。
【請求項８】
請求項１乃至７の何れか一項に記載の前記ウィッグに使用される前記ウィッグベース。
【発明の詳細な説明】
【技術分野】
【０００１】
本発明は、頭部に載せて使用する（着用する）ウィッグに関する。特に、毛髪（人工毛または人毛）を植設してウィッグを構成するウィッグベースの構造に関する。
【背景技術】
【０００２】
ウィッグは、ウィッグベースと当該ベースに植設された毛髪とからなり、頭髪の減少を視覚的にカバーする（自毛のボリューム不足を補なう）目的の他、アクセサリー感覚でファッションの一部として用いられる。
【０００３】
ウィッグを製造する上では、ウィッグベースに植設された擬毛が着用者自身の頭髪（自毛）と自然になじむことが重要である。そのためには、擬毛の太さ、材質、形状を工夫する他に、ウィッグベースの形状が極めて重要であることを本出願の発明者が明らかにした。
【発明の概要】
【発明が解決しようとする課題】
【０００４】
本発明は、上記のような状況に鑑みて創作されたものであり、コンパクトでありながら、自毛に自然になじむウィッグ及び、ウィッグベースを提供することを目的とする。
【課題を解決するための手段】
【０００５】
本発明は、ウィッグベースと、当該ウィッグベースに植設される擬毛とを含むウィッグに適用される。そして、前記ウィッグベースは、前記擬毛を植設する領域（以下、「植毛領域」という。）の外周輪郭が、角部を持たずに全体的に丸みを帯びるとともに、内側に入り込んだ谷部を有することを特徴とする。
【０００６】
ここで、「角部」とは、２本の直線の端部同士が接する鋭利な部分と表現することができる。
「擬毛」とは、人毛又は人工毛を含む概念である。
「内側に入り込んだ谷部」とは、両側から巻き込むように内側に向かって窪んだ領域であり、谷底に相当する先端は鋭利となる。
「全体に丸みを帯びる」とは、外周に直線の領域が殆ど存在せず、凹状又は凸状の湾曲部によって成形される意味である。
【０００７】
上記のような構造の本発明においては、ウィッグベースの植毛領域が角部を持たないため、当該角部での毛分かれが生じ難く、ベース自体が露出し難くなる。また、全体的に丸みを帯びた形状とすることによって、植設した擬毛が自毛に自然になじみやすくなる。逆に、丸みを帯びずに直線部分が多くなると、植設した擬毛が同一方向に延びる範囲が広く（長く）なり、当該ウィッグを実際に着用した時に不自然な感じになってしまう。さらに、内側に入り込んだ谷部を設けることにより、その部分で分け目を作った場合にも、毛分かれすることなく自然な仕上がりとなる。
【０００８】
前記植毛領域の外周輪郭は、前記ウィッグベース自体の外周輪郭と概ね一致させることができる。この場合には、ウィッグベースの面積を最小限にすることができる。あるいは、前記ウィッグベースは、前記植毛領域の外側に、前記擬毛を植毛しない余剰領域を有する構造とすることもできる。
【０００９】
前記植毛領域は、谷部が形成される側の縁部と、反対側の縁部において外側に向かって突出した鋭利な先端部とを有する、例えば、ハート型とすることが好ましい。
ここで、「ハート型」とは、トランプのハートのマークのように、全体の輪郭は逆三角に内接するような形状であり、上部中心付近に内側に入り込んだ谷部があり、対向する下端部分に鋭利に突出した部分があり、全体的には丸みを帯びた形状と表現することができる。
なお、ハート型の縦横比、谷部の深さ、突出した下端部の鋭利の度合い等については、様々である。
【００１０】
ウィッグベースの植毛領域をハート型とすることにより、上述したようなメリットに加え、谷部の反対側の鋭利な先端部の存在により、当該先端部の周辺における擬毛が左右何れの方向にも自然に流れる（なびく）ようになる。例えば、つむじ周辺に当該ウィッグを装着した場合に、つむじの右巻き、左巻きの何れの場合にも自然に対応することが可能となる。
【００１１】
さらに、ウィッグベースの植毛領域は、対向する２カ所に谷部を形成することができる。ここで、「対向する２カ所に谷部を有する」形状とは、例えば、絵に描いた平面的なリンゴのような形状と表現することができる。このように、２カ所に谷部があると、擬毛の密集度合いが強くなり、ウィッグとしてのボリューム感を向上させることができる。また、分け目を形成してた時に毛分かれし難くなり、自然な感じで自毛になじむことになる。
【図面の簡単な説明】
【００１２】
【図１】図１は、本発明の第１実施例に係るウィッグベースの形状を示す平面図である。
【図２】図２は、本発明の第１実施例に係るウィッグの擬毛の植設方向を示す説明図であり、（Ａ）が側面から見た様子、（Ｂ）が上面から見た様子を示す。
【図３】図３は、本発明の他の実施例（第２実施例〜第４実施例）に係るウィッグベースの形状を示す平面図である。
【図４】図４は、本発明の他の実施例（第５実施例、第６実施例）に係るウィッグベースの形状を示す平面図である。
【図５】図５は、本発明の更に他の実施例（第７実施例）に係るウィッグベースの形状を示す平面図である。
【発明を実施するための形態】
【００１３】
以下、本発明の実施形態を、添付の図面を参照して詳細に説明する。図１は、本発明の第１実施例に係るウィッグベース１０の形状（輪郭）を示す平面図である。  図２は、本発明の第１実施例に係るウィッグの擬毛の植設方向を示す説明図であり、（Ａ）が側面から見た様子、（Ｂ）が上面から見た様子を示す。
【００１４】
図１に示すように、本実施例に係るウィッグベース１０は、角部を持たずに全体的に丸みを帯びるとともに、谷部１２及び先端部１４とを有するハート型に成形される。谷部１２は、両側から巻き込むように内側に向かって窪んだ領域であり、谷底に相当する先端は鋭利となる。ウィグベース１０の輪郭は、直線の領域が殆ど存在せず、凹状又は凸状の湾曲部によって成形される。
【００１５】
ウィッグベース１０の縦Ｈと横Ｗとの比率は、例えば、４：５、１：√２（白銀比）、１：１．６８１（黄金比）とすることができる。なお、これらの縦横比や、全体のサイズについては、装着部位等に応じて適宜変更可能である。また、着用時におけるウィッグ（ウィッグベース１０）の向きについても、装着部位等に応じて変更可能である。例えば、ウィッグをつむじに被せるように装着する場合には、谷部１２を前、先端部１４を後とすることができる。
【００１６】
ウィッグベース１０において、擬毛（人毛又は人工毛）を植設する側を表とした場合、裏側には当該ウィッグを着用者の自毛に対して固定する固定具１６が設けられている。
【００１７】
図２（Ａ）に示すように、ウィッグの断面を見たときには、植毛（植設）する向きは、つむじの位置Ｘから前後方向に徐々に寝ていく感じとなる。一方、図２（Ｂ）に示すように、ウィッグを上面から見た時には、植毛（植設）する向きは、つむじの位置Ｘからは放射状となる。また、外縁部付近では外周ラインに対して概ね直角となる方向に延びるようにする。なお、図２に示す例は、つむじの上に被せるような使用形態を前提としているが、他の箇所に使用する場合には、植毛の方向を適宜変更することができる。ただし、外縁部の植毛の方向については、図２（Ｂ）に示す方向とすると、毛分れを最小限に抑制することが可能となる。
【００１８】
植毛の密度は、例えば、２００本／１平米とすることができる。擬毛として人工毛を使用した場合の毛の太さは、例えば、０．０５〜０．０６ｍｍとすることができる。一方、人毛（加工人毛）を採用した場合の毛の太さは、例えば、  ０．０６〜０．０８ｍｍとすることができる。
【００１９】
ウィッグベース１０の全体形状は、着用者の頭部にフィットするように、中央付近が膨らんだ緩やかな湾曲形状とすることが好ましい。ただし、ウィッグのサイズが小さい場合には平面的な形状であっても問題ない。ウィッグベース１０の素材としては、例えば、樹脂製のネット、あるいは軽量で通気性に優れたネット、その両方を合わせたものを使用することができる。
植毛方法は、用途によって種々の方法が採用可能である。例えば、髪のボリュームを出したいときには毛を立たせるように植毛し、毛流れを作りたいときには毛を寝かせるように植毛する。また、ボリュームを出しながら毛流れを作る時には、半分立たせて半分寝かせるように植毛をする。
【００２０】
図３は、本発明の他の実施例（第２実施例〜第４実施例）に係るウィッグベース２０，３０，４０の形状（輪郭）を示す平面図であり、何れもハート型のバリエーションである。
（Ａ）に示すウィッグベース２０は、深めの谷部２２を持つと共に、先端部２４は細く突出した形状となっている。（Ｂ）に示すウィッグベース３０は、浅めの谷部３２を持つと共に、先端部３４は細く突出した形状となっている。（Ｃ）に示すウィッグベース４０は、全体的に横に広がったハート型であり、浅めの谷部４２を持つと共に、先端部４４は鈍角となっている。これらのウィッグベース２０，３０，４０については、着用部位（前髪、分け目、つむじ、後頭部）等に応じて適宜選択して使い分けることができる。
【００２１】
図４は、本発明の他の実施例（第５実施例、第６実施例）に係るウィッグベース５０，６０の形状を示す平面図である。
（Ａ）に示すウィッグベース５０は、ハート型の先端部をなくした形状であり、谷部５２のみを備えており、比較的に円に近い平面形状となっている。このような形状のウィッグベース５０は、頭部の比較的広い範囲をカバーするウィッグに適している。また、比較的シンプルな形状であるため、製造コストの低減にも寄与する。
【００２２】
一方（Ｂ）に示すウィッグベース６０は、上下に谷部６２ａ，６２ｂを設けており、左右対称、上下対称とすることができる。このようなウィッグベース６０を使用すると、谷部６２ａ，６２ｂの周辺で擬毛の密集度合いが強くなり、ウィッグとしてのボリューム感を向上させることができる。また、分け目を形成した時に毛分かれし難く、自然な感じで自毛になじむことになる。
【００２３】
図５は、本発明の更に他の実施例（第７実施例）に係るウィッグベース７０の形状（輪郭）を示す平面図である。この実施例においては、円形のベース本体７２に内接するようにハート型の植毛領域７４が形成されている。すなわち、図のチェックで示した植毛領域７４にのみ擬毛が植設され、その周辺の白い部分（余剰領域）には植毛はされない。このような構造であっても、第１実施例に係るウィッグベース１０と概ね同等の効果を奏することができる。ただし、全体としての面積が大きくなる等のデメリットもある。
【００２４】
以上、本発明の実施例について説明したが、本発明はこれらの実施例に限定されるものではなく、特許請求の範囲に示された技術思想の範囲内において適宜変更可能なものである。
【図１】
2018066095.tif 000003
【図２】
2018066095.tif 000004
【図３】
2018066095.tif 000005
【図４】
2018066095.tif 000006
【図５】
2018066095.tif 000007